(57)【特許請求の範囲】
【請求項１】
取付板と支持板とを有する基枠体の内側に長尺の作動杆が摺動可能に配設され、該取付板の中間部にシリンダ錠が固定され、該シリンダ錠の錠軸にカム板が該作動杆に係合可能に取り付けられ、該基枠体の取付板が前面枠の内側に取り付けられ、本体枠の内側に受け金具が取り付けられ、該前面枠を該本体枠に対し施錠するゲーム機の施錠装置において、
該基枠体の支持板の上部と下部に該受け金具の進入を許容する開口部が形成され、該開口部内の受け金具を拘束するロック凹部を有するラッチ板が上部と下部の該開口部の近傍に各々回動可能に枢支され、該作動杆に沿って連結杆が摺動可能に配設され、該連結杆の上端と下端が該上下のラッチ板の端部にピンを介して連結され、該作動杆の上部と下部に係合凸部が設けられ、上部と下部の該ラッチ板が受け金具に押されてラッチ位置に回動した時、該作動杆の係合凸部が係合してラッチ位置にロックするための係合部が該ラッチ板の一部に形成され、該ラッチ板を解錠側に付勢するためのばね部材が該連結杆と前記取付板間に掛け止められ、該作動杆を施錠側に付勢するばね部材が設けられ、前記受け金具には板状係止部が設けられ、該板状係止部が前記開口部に進入し該ラッチ板のロック凹部内に拘束されて施錠されることを特徴とするゲーム機の施錠装置。
【請求項２】
前記シリンダ錠は前記支持板の一部を取付板と水平に開いて取付板を外側に延設してなる取付部上に固定されたことを特徴とする請求項１記載のゲーム機の施錠装置。
【発明の詳細な説明】
【０００１】
【発明の属する技術分野】
本発明は、パチスロ機等のゲーム機の前面枠を、本体枠に対し施錠するゲーム機の施錠装置に関する。
【０００２】
【従来の技術】
従来、ゲーム機の施錠装置として、一般に、基枠体の内側に作動杆が摺動可能に配設され、基枠体の支持板の上部と下部に鉤部材が、作動杆に連結されて傾動可能に枢支され、基枠体の取付板の中間部に、シリンダ錠がその錠軸を取付板に設けた孔から内側に差し込むように固定され、錠軸の先端に作動杆と係合するカム板が取り付けられた構成の施錠装置が使用されている。
【０００３】
【発明が解決しようとする課題】
この種のゲーム機用施錠装置は、構造が強固で、施錠・解錠動作も確実に行うことができるものの、構造上、前面枠の内側に取付けられた施錠装置の鉤部材が前面枠の内側から突出する。このため、前面枠のアッセンブリーを梱包して搬送する場合、その梱包が難しく、突出した鉤部材が搬送中に他の部分に当たって傷つく等の問題があった。また、ゲーム機の保守点検の際に前面枠を開いた状態で作業を行なう場合、施錠装置の鉤部材が内側に突出していると、作業の邪魔になったり、作業者がこれに当たって怪我をする恐れがあった。
【０００４】
本発明は、上記の点に鑑みてなされたもので、前面枠の内側に突出する部分がなく、前面枠を本体枠に対し、円滑且つ確実に施錠・解錠することができるゲーム機の施錠装置を提供することを目的とする。
【０００５】
【課題を解決するための手段】
上記目的を達成するために、本発明のゲーム機の施錠装置は、取付板と支持板とを有する基枠体の内側に長尺の作動杆が摺動可能に配設され、取付板の中間部にシリンダ錠が固定され、シリンダ錠の錠軸にカム板が作動杆に係合可能に取り付けられ、基枠体の取付板が前面枠の内側に取り付けられ、本体枠の内側に受け金具が取り付けられ、前面枠を該本体枠に対し施錠するゲーム機の施錠装置において、基枠体の支持板の上部と下部に受け金具の進入を許容する開口部が形成され、開口部内の受け金具を拘束するロック凹部を有するラッチ板が上部と下部の開口部の近傍に各々回動可能に枢支され、作動杆に沿って連結杆が摺動可能に配設され、連結杆の上端と下端が上下のラッチ板の端部にピンを介して連結され、作動杆の上部と下部に係合凸部が設けられ、上部と下部のラッチ板が受け金具に押されてラッチ位置に回動した時、作動杆の係合凸部が係合してラッチ位置にロックするための係合部がラッチ板の一部に形成され、ラッチ板を解錠側に付勢するためのばね部材が連結杆と取付板間に掛け止められ、作動杆を施錠側に付勢するばね部材が設けられ、受け金具には板状係止部が設けられ、板状係止部が開口部に進入しラッチ板のロック凹部内に拘束されて施錠されることを特徴とする。
【０００６】
【作用・効果】
このような構成の施錠装置は、前面枠を本体枠に対し閉じると、受け金具が開口部からラッチ板のロック凹部内に進入し、受け金具がラッチ板を押し込むようにしてラッチ板が回動し、ラッチ板のロック凹部内に受け金具が拘束された状態となる。この時、作動杆の係合凸部がラッチ板の係合部に係合することから、ラッチ板がそのラッチ位置に保持され、受け金具はラッチ板のロック凹部内にロックされ施錠状態となる。
【０００７】
シリンダ錠の鍵を回すと、カム板が回動し、そこに係合する作動杆が移動し、それにより、係合凸部とラッチ板係合部との係合が外れる。このとき、ラッチ板はばね部材の付勢力により解錠方向に付勢されているため、ばね力により自動的に解錠位置に回動し、ロックされていた受け金具がラッチ板のロック凹部から外れ、開口部から押し出され、解錠状態となる。このとき、ラッチ板はばね部材により解錠位置まで付勢されて回動し、受け金具を押し出すように作用するため、固定側の受け金具から反動を受けて、前面枠が自動的に開き、使用者は解錠したことを容易に認識することができる。
【０００８】
この施錠装置では、基枠体の支持板に開口部を形成し、開口部の近傍にラッチ板を設け、開口部内に進入した受け金具を、ラッチ板のロック凹部内に保持しロックするように構成したから、従来のような鉤部材が施錠装置の背面側に突出せず、前面枠のアッセンブリーを梱包して搬送する場合、その梱包を容易に行うことができ、突出した鉤部材がないため、搬送中にそれが他の部分に当たって傷つくことがなく、ゲーム機の保守点検の際、前面枠を開いて作業する場合、邪魔になることがない。
【０００９】
また、シリンダ錠を、取付板を外側に延設した取付部上に固定するようにすれば場合、作動杆と係合するカム板の長さが必然的に長くなり、カム板つまり錠軸の少ない回動で、必要な作動杆の移動量が得られるから、より少ない鍵の捻りで解錠操作を行なうことができる。
【００１０】
【発明の実施の形態】
以下、本発明の実施の形態を図面に基づいて説明する。図１〜図３はゲーム機用施錠装置の右側面図、背面図、及び左側面図を示し、図４は施錠状態の同右側面図を示し、図５は装置の分解図を示している。この施錠装置は縦長の基枠体１を有し、基枠体１は断面Ｌ形に曲折された取付板と支持板３とからなり、取付板２には複数の取付け孔が穿設される。
【００１１】
取付板２に対し略直角に曲折された支持板３の上部と下部に、開口部３ａ、３ａが後述の受け金具２０の板状係止部２０ａ，２０ｂの進入を受け入れるように切り欠いて形成される。更に、図５に示すように、支持板３には、後述の作動杆４を摺動可能に支持するガイド部３ｂ，３ｂが切り起すように形成される。
【００１２】
支持板３の中間部には、支持板３の一部を外側に倒し、取付板２と同じ水平状態にするように取付部２ａが取付板２の外側に延設される形態で形成され、そこには後述のシリンダ錠１４が固定される（図２）。上下の開口部３ａ，３ａの直下側には、開口部３ａ，３ａに進入した受け金具の板状係止部２０ａ，２０ｂを拘束するラッチ板５、６が、ピン７、８により回動可能に軸支される。
【００１３】
ラッチ板５、６には受け金具の板状係止部２０ａ，２０ｂを受け入れて拘束するロック凹部５ａ，６ａが形成され、更に、後述の作動杆４の係合凸部４ａ，４ｂと係合する係合部５ｂ，６ｂが形成される。係合部５ｂ，６ｂは解錠状態にあるラッチ板５、６の姿勢を保持してロックするものである。
【００１４】
図５、図６のように、縦長で帯状の作動杆４は、基枠体１の内側に支持板３に沿って配設され、その上部と下部に係合凸部４ａ，４ｂが内側に突出して設けられる。各係合凸部４ａ，４ｂは上記支持板３の上下に設けたガイド孔内に侵入しガイドされる。作動杆４はこれらの係合凸部４ａ，４ｂとガイド孔にガイドされ、上下方向に一定の距離だけ摺動可能である。また、作動杆４にはその中間部に後述のカム板１５が係合するための係合部４ｃが形成される。
【００１５】
作動杆４は支持板３に沿ってラッチ板５、６の外側に摺動可能に配設され、作動杆４と支持板３との間に、連結杆１１が摺動可能に配設される。連結杆１１の上端は上のラッチ板５の端部にピン１２を介して連結され、連結杆１１の下端は下のラッチ板６の端部にピン１３を介して連結され、上下のラッチ板５、６は連動して回動する（図５）。作動杆４と取付板２間、及び連結杆１１と取付板２の間に、各々作動杆４、連結杆１１を上方側に付勢するためのコイルばね９、１０が掛け止められる。
【００１６】
基枠体１の取付板２の外側に延設した取付部２ａには孔が形成され、その孔に錠軸を内側に挿入する形態でシリンダ錠１４が装着される。シリンダ錠１４は連結筒を設けた長尺形であり、かしめなどにより固定される。シリンダ錠１４の錠軸の先端にカム板１５が固定される。カム板１５は、シリンダ錠の回動操作時（解錠時）に、作動杆４の係合部４ｃに係合して作動杆４を下方に移動させる機能を有し、カム板１５の先端は係合部４ｃに係合可能である。また、シリンダ錠１４の位置が外側にずれて、作動杆４との間に距離があるため、カム板１５は通常より長く形成される。
【００１７】
更に、支持板３の下端部には、ローラ１６が回転自在に軸支される。このローラ１６は、前面枠の閉鎖時に本体枠側のローラ受け２１上を転動して前面枠を支持するように設けられる。なお、作動杆４の上部と下部には長穴が長手方向に穿設され、この長穴にガイドピンを挿入して支持板３側にピンの先端を固定することにより、作動杆４はガイドピンによりその上下動をガイドされる。また、取付部２ａと反対側の取付板２の側縁部には、縁部を直角に曲げて側壁２ｂが形成され、これによって、支持板の欠如した部分を補強すると共に、カム板１５やその係合部分に、針金等を侵入させないようにしている。
【００１８】
このように構成された施錠装置は、図７に示すように、ゲーム機の前面枠２２の内側に取付板２を当てて固定され、本体枠２３側の対応位置に受け金具２０が取り付けられる。
【００１９】
受け金具２０は、縦長の基板の上部と下部に、板状係止部２０ａ，２０ｂを突設して形成され、板状係止部２０ａ，２０ｂは施錠装置側のラッチ板５、６の対向位置に配置され、基板の下部にはローラ受け２１が設けられる。また、受け金具２０の側部には、長尺の基板の側縁に沿った側縁部として隙間覆い部２０ｃが設けられる。この隙間覆い部２０ｃは、前面枠２２を閉じた時、本体枠２３との間に生じた隙間を、施錠装置の範囲で内側から覆って塞ぐように設けられる。
【００２０】
前面枠２２を本体枠２３に対し閉じると、図７の如く、上下の受け金具２０、２０の板状係止部２０ａ，２０ｂが、上下の開口部３ａ，３ａからラッチ板５、６のロック凹部５ａ，６ａ内に進入し、板状係止部２０ａ，２０ｂがラッチ板５、６を押し込むようにして、ラッチ板５、６がコイルばね１０の付勢力に抗して反時計方向に回動し、図４に示す如く、ラッチ板５、６のロック凹部５ａ，６ａ内に受け金具２０の板状係止部２０ａ，２０ｂが拘束された状態となる。
【００２１】
この時、作動杆４の上下の係合凸部４ａ，４ｂがラッチ板５、６の係合部５ｂ，６ｂに係合し、コイルばね１０で解錠側に付勢されるラッチ板５、６がそのラッチ位置にロックされ、受け金具２０、２０の板状係止部２０ａ，２０ｂは、各ラッチ板のロック凹部５ａ，６ａ内で保持され施錠状態となる。
【００２２】
解錠する場合、所定の鍵をシリンダ錠１４に挿入し、それを右側に捻る。すると、錠軸、カム板１５が同方向に回動し、カム板１５との係合により作動杆４がコイルばね１０に抗して下方に移動する。これにより、作動杆４の係合凸部４ａ，４ｂとラッチ板５、６の係合部５ｂ，６ｂとの係合が外れる。このとき、ラッチ板５、６はコイルばね９の付勢力により図７の時計方向に回動し、ロックされていた受け金具２０、２０の板状係止部２０ａ，２０ｂがラッチ板５、６のロック凹部５ａ，６ａから外れ、開口部３ａからも押し出されて解錠状態となる。このとき、ラッチ板５、６はばねにより解錠位置まで付勢されて回動するため、固定側の受け金具の板状係止部２０ａ，２０ｂをラッチ板５、６が押した反動で、施錠装置側の前面枠２２が自動的に開き、使用者は解錠したことを容易に認識することができる。
【００２３】
このように、基枠体１の支持板３に開口部３ａを形成し、開口部３ａの近傍にラッチ板５、６を設け、開口部３ａ内に進入した受け金具２０の板状係止部２０ａ，２０ｂを、ラッチ板５、６のロック凹部内に保持しロックするように構成したから、従来のような鉤部材が施錠装置の背面側に突出せず、前面枠のアッセンブリーを梱包して搬送する場合、その梱包を容易に行うことができ、突出した鉤部材がないため、搬送中にそれが他の部分に当たって傷つくことがなく、ゲーム機の保守点検の際、前面枠を開いて作業する場合、邪魔になることがない。
【図面の簡単な説明】
【図１】本発明の一実施例を示す施錠装置の右側面図である。
【図２】同装置の背面図である。
【図３】同装置の左側面図である。
【図４】施錠時の右側面図である。
【図５】同装置の分解側面図である。
【図６】作動杆４の側面図（ａ）と背面図（ｂ）である。
【図７】施錠装置の使用状態を示す側面図である。
【符号の説明】
１−基枠体
２−取付板
３−支持板
３ａ−開口部
４−作動杆
４ａ，４ｂ−係合凸部
５、６−ラッチ板
５ａ，６ａ−ロック凹部
５ｂ，６ｂ−係合部
【図１】
0003564570.tif 000002
【図２】
0003564570.tif 000003
【図３】
0003564570.tif 000004
【図４】
0003564570.tif 000005
【図５】
0003564570.tif 000006
【図６】
0003564570.tif 000007
【図７】
0003564570.tif 000008